(57)【要約】【課題】内容物を傷付けることなく容易に持ち運ぶことが可能な包装用容器を提供する。【解決手段】上部開口１５を有する合成樹脂製容器本体１１の前記上部開口１５を横切る相対向する位置に突片部２０，２０が設けられ、前記突片部２０，２０に折り曲げ部３５，３５を介して引き起こし可能な手掛け部３０が前記容器本体１１の上部開口１５の周辺に一体に形成されていることを特徴とする。また、前記突片部２０が前記上部開口１５の外周部下端に延設され、前記手掛け部３０が幅方向に断面円弧状に形成されている。【選択図】図１
0003176637.tif 000002
【実用新案登録請求の範囲】
【請求項１】
上部開口を有する合成樹脂製容器本体の前記上部開口を横切る相対向する位置に突片部が設けられ、前記突片部に折り曲げ部を介して引き起こし可能な手掛け部が前記容器本体の上部開口の周辺に一体に形成されていることを特徴とする包装用容器。
【請求項２】
前記突片部にそれぞれ折り曲げ部を介して反対方向に周回する２つの手掛け部が形成されている請求項１に記載の包装用容器。
【請求項３】
前記突片部が前記上部開口の外周部下端に延設されている請求項１又は２に記載の包装用容器。
【請求項４】
前記上部開口が長方形状を有しその短辺側に前記突片部が形成されている請求項１ないし３のいずれか１項に記載の包装用容器。
【請求項５】
前記手掛け部が幅方向に断面円弧状に形成されている請求項１ないし４のいずれか１項に記載の包装用容器。
【考案の詳細な説明】
【技術分野】
【０００１】
本考案は、イチゴやブドウ、トマト等の比較的軽量な内容物を収納するための合成樹脂製の包装用容器に関する。
【背景技術】
【０００２】
例えば、イチゴやブドウ、トマト等の青果物を店頭等に陳列する際には、合成樹脂製の包装用容器が使用される。この種の包装用容器は、前記青果物等の比較的軽量な内容物を容器本体に直に収納し、必要に応じて合成樹脂フィルム等を内容物と共に容器本体の上部開口に被覆させて、商品として陳列される。
【０００３】
しかるに、包装用容器に収納された青果物等を購入する場合、購入者は商品を落とさないようにするために、容器本体の側壁部を押さえるようにして持つことが多い。その際、合成樹脂製の容器本体が外側から圧迫されることになり、内容物が型くずれしたり、傷みやすくなる等の問題があった。
【考案の概要】
【考案が解決しようとする課題】
【０００４】
本考案は前記の点に鑑みなされたものであり、内容物を傷付けることなく容易に持ち運ぶことが可能な包装用容器を提供するものである。
【課題を解決するための手段】
【０００５】
すなわち、請求項１の考案は、上部開口を有する合成樹脂製容器本体の前記上部開口を横切る相対向する位置に突片部が設けられ、前記突片部に折り曲げ部を介して引き起こし可能な手掛け部が前記容器本体の上部開口の周辺に一体に形成されていることを特徴とする包装用容器に係る。
【０００６】
請求項２の考案は、前記突片部にそれぞれ折り曲げ部を介して反対方向に周回する２つの手掛け部が形成されている請求項１に記載の包装用容器に係る。
【０００７】
請求項３の考案は、前記突片部が前記上部開口の外周部下端に延設されている請求項１又は２に記載の包装用容器に係る。
【０００８】
請求項４の考案は、前記上部開口が長方形状を有しその短辺側に前記突片部が形成されている請求項１ないし３のいずれか１項に記載の包装用容器に係る。
【０００９】
請求項５の考案は、前記手掛け部が幅方向に断面円弧状に形成されている請求項１ないし４のいずれか１項に記載の包装用容器に係る。
【考案の効果】
【００１０】
請求項１の考案に係る包装用容器は、上部開口を有する合成樹脂製容器本体の前記上部開口を横切る相対向する位置に突片部が設けられ、前記突片部に折り曲げ部を介して引き起こし可能な手掛け部が前記容器本体の上部開口の周辺に一体に形成されているため、衛生的で内容物を傷付けることなく容易に持ち運ぶことができる。
【００１１】
請求項２の考案は、請求項１において、前記突片部にそれぞれ折り曲げ部を介して反対方向に周回する２つの手掛け部が形成されているため、安定した状態で持ち運ぶことができる。
【００１２】
請求項３の考案は、請求項１又は２において、前記突片部が前記上部開口の外周部下端に延設されているため、成形が容易である。
【００１３】
請求項４の考案は、請求項１ないし３において、前記上部開口が長方形状を有しその短辺側に前記突片部が形成されているため、持ち運ぶ際の安定性を向上させることができる。
【００１４】
請求項５の考案は、請求項１ないし４において、前記手掛け部が幅方向に断面円弧状に形成されているため、手掛け部を把持した際の負傷を防止することができる。
【図面の簡単な説明】
【００１５】
【図１】本考案の第１実施例に係る包装用容器の斜視図である。
【図２】図１の包装用容器の上面図である。
【図３】容器本体の上部開口外周部近傍の断面図である。
【図４】手掛け部の断面図である。
【図５】第２実施例に係る包装用容器の斜視図である。
【図６】図５の包装用容器の上面図である。
【考案を実施するための形態】
【００１６】
図１，２，５，６に示す包装用容器１０は、主にイチゴやブドウ、トマト等の比較的軽量な青果物等を内容物とする容器として好適に使用されるものであって、合成樹脂製容器本体１１と、突片部２０と、手掛け部３０とからなる。
【００１７】
合成樹脂製容器本体１１は、ポリエチレンテレフタレート（ＰＥＴ）やポリスチレン（ＰＳ）等の合成樹脂からなり、図１，２，５，６に示すように、側壁部１２上縁に上部開口１５を有している。各図において、符号１３は底面部、１６は側壁部１２上縁から外側へ延設されたフランジ部である。
【００１８】
突片部２０は、図２，６に示すように、容器本体１１の上部開口１５を横切る相対向する位置に一体に設けられる。実施例では、図３に示すように、上部開口１５の外周部であるフランジ部１６の下端に張り出し状に延設されているため、一体成形が容易である。
【００１９】
手掛け部３０は、図１，２，５，６に示すように、突片部２０に折り曲げ部３５を介して引き起こし可能とされるとともに容器本体１１の上部開口１５の周辺に一体に形成されている。実施例の手掛け部３０は、容器本体１１の上部開口１５の周辺に張り出し状に延設された部分を打ち抜いて形成される。また、この手掛け部３０では、打ち抜き形成された手掛け部３０の下辺側が鋭利である場合に手を負傷するおそれがあるため、図４に示すように、幅方向に断面円弧状に形成される。これにより、把持する際の手が掛け部３０の円弧状の面部と接触することになり、鋭利な部分との接触が回避されて負傷を防止することができる。
【００２０】
図１，２に示す第１実施例に係る包装用容器１０Ａは、上部開口１５Ａが底面部１３Ａより広口となる円形状とされるとともに上部開口１５Ａから底面部１３Ａに向かって側壁部１２Ａが傾斜して形成された椀形状の容器本体１１Ａと、容器本体１１Ａの上部開口１５Ａを直径方向に横切って設けられた突片部２０Ａ，２０Ａと、容器本体１１Ａの一側の上部開口１５Ａ周辺に突片部２０Ａ，２０Ａに折り曲げ部３５，３５を介して一体に形成された１つの手が掛け部３０Ａとからなる。この包装用容器１０Ａでは、折り曲げ部３５，３５を介して手が掛け部３０Ａを折り曲げて把持するだけで容器本体１１に触れることなく容易に持ち運ぶことができる。
【００２１】
図５，６に示す第２実施例に係る包装用容器１０Ｂは、上部開口１５Ｂが底面部１３Ｂより広口となる長方形状を有し、上部開口１５Ｂから底面部１３Ｂに向かって側壁部１２Ｂが傾斜して形成された箱状の容器本体１１Ｂと、長方形状の上部開口１５Ｂの各短辺１７側の中央部付近の相対向する位置に設けられた突片部２０Ｂ，２０Ｂと、突片部２０Ｂ，２０Ｂにそれぞれ折り曲げ部３５，３５，３５，３５を介して反対方向に周回して形成された２つの手掛け部３０Ｂ，３０Ｂとからなる。なお、図６において、符号１８は上部開口１５の長辺である。
【００２２】
この包装用容器１０Ｂでは、突片部２０Ｂ，２０Ｂの反対方向に周回して形成された２つの手掛け部３０Ｂ，３０Ｂにを把持するものであるため、包装用容器１０Ｂを安定した状態で持ち運ぶことが可能となる。また、上部開口１５Ｂを長方形状とし、その各短辺１７側の中央部付近の相対向する位置に突片部２０Ｂ，２０Ｂを設けることにより、持ち運ぶ際の安定性をさらに向上させることができる。
【００２３】
以上図示し説明したように、本考案の包装用容器１０では、容器本体１１の上部開口１５を横切る相対向する位置に設けられた突片部２０に折り曲げ部３５を介して引き起こし可能な手掛け部３０が容器本体１１の上部開口１５の周辺に一体に形成されているため、容器本体１１に触れることなく容易に持ち運ぶことができる。従って、持ち運び時に容器本体１１の外側から圧迫されることがなくなり、内容物の型くずれや傷み等の傷付けを回避して持ち運ぶことが可能となる。しかも、内容物に触れるおそれがなくて衛生的である。
【００２４】
また、突片部２０にそれぞれ折り曲げ部３５を介して反対方向に周回する２つの手掛け部３０，３０を形成したり、長方形状の上部開口の短辺側に突片部２０を形成したりすることで、持ち運ぶ際の安定性を容易に向上させることができる。
【００２５】
さらに、手掛け部３０の形状を幅方向に断面円弧状とすることで、把持する際に鋭利な部分との接触を容易に回避することができて、負傷を防止することができる。
【００２６】
なお、本考案の包装用容器は、前述の実施例のみに限定されるものではなく、考案の趣旨を逸脱しない範囲において構成の一部を適宜に変更して実施することができる。例えば、合成樹脂フィルム等を内容物と共に容器本体の上部開口に被覆させて、内容物を保護してもよい。
【００２７】
また、容器本体の形状は実施例のみに限定されるものではなく、例えば、上部開口及び底面部を楕円形状や八角形等の多角形状としたり、上部開口と底面部とをそれぞれ異なる形状とする等、適宜である。
【００２８】
さらに、用途に応じて、容器本体の一側の上部開口周辺に１つの手掛け部を形成したり、反対方向に周回する２つの手掛け部を形成したりしてもよい。
【符号の説明】
【００２９】
１０    包装用容器
１１    容器本体
１２    側壁部
１３    底面部
１５    上部開口
１６    フランジ部
２０    突片部
３０    手掛け部
３５    折り曲げ部
【図１】
0003176637.tif 000003
【図２】
0003176637.tif 000004
【図３】
0003176637.tif 000005
【図４】
0003176637.tif 000006
【図５】
0003176637.tif 000007
【図６】
0003176637.tif 000008